(57)【要約】      （修正有）【課題】大幅にヘッドの重量分配の柔軟度を高め、並びに有効に打球の安定性を制御し、飛行の方向性と飛距離をのばせるようにしたゴルフクラブヘッドを提供する。【解決手段】主体のフェイス１１内側壁に一体に環型壁１２が形成され、環型壁１２とフェイスの間に内板２０が結合され、内板が軽量で高強度材料で形成されてフェイスの弾性及び強度を増してフェイスの長期打撃による陥没変形を防止し、フェイス形状及び強度を長期に確保し、並びにヘッド全体の重心が後方に移動され、異なるヘッドに対応して柔軟にウエイト設計でき、最良の打球安定性と制球性、打球飛行方向性、飛距離を獲得できる。【選択図】図３
0003109694.tif 000002
【実用新案登録請求の範囲】
【請求項１】
主体前側にフェイスが設けられたゴルフクラブヘッドにおいて、
該フェイスの内側壁が環型壁を具え、環型壁とフェイスの間に少なくとも一つの内板が結合されたことを特徴とする、ゴルフクラブヘッド。
【請求項２】
請求項１記載のゴルフクラブヘッドにおいて、内板とフェイスが異なる材質とされ、内板が軽量で、高強度の材質とされたことを特徴とする、ゴルフクラブヘッド。
【請求項３】
主体前側にフェイスが設けられたゴルフクラブヘッドにおいて、
該フェイスの内側壁が環型壁と少なくとも一つの緊締柱を具え、環型壁とフェイスの間に少なくとも一つの内板が結合され、緊締柱が内板に挿通されて内板を緊締したことを特徴とする、ゴルフクラブヘッド。
【請求項４】
請求項３記載のゴルフクラブヘッドにおいて、内板とフェイスが異なる材質とされ、内板が軽量で、高強度の材質とされたことを特徴とする、ゴルフクラブヘッド。
【考案の詳細な説明】
【技術分野】
【０００１】
本考案は一種のゴルフクラブヘッドに係り、特に、ヘッドのフェイス内側壁に内板を結合させた技術に関する。
【背景技術】
【０００２】
現段階で使用されているゴルフクラブヘッドの種類は多いが、ほとんどは二種類の形式に区分される。
【０００３】
第１種の形式のヘッドＡ（図１）は、主体３００を具え、主体３００の前側に凹溝３０１が設けられ、凹溝３０１内にフェイス４００が固定されている。ただしフェイス４００は打撃時に強大な振動力を発生し、このためフェイス４００と主体３００の溶接部分に破壊と断裂を発生してフェイス４００が損壊、脱落しやすい。
【０００４】
第２種の形式のヘッドＡ（図２）は、前部主体１００及び後部主体２００が結合されてなり、前部主体１００の前側にフェイス１０１が形成され、フェイス１０１を利用して球を打つ。このフェイス１０１の厚さは比較的厚くされなければ球を打つ強度を獲得できず、このため、全体のヘッドＡの重心が前に移動し、ヘッドＡの打球安定性、球の飛行方向性及び球の飛距離を有効に制御できず、且つ異なるヘッドの打撃の必要により柔軟にヘッドＡの重心位置を設計することができない。
【考案の開示】
【考案が解決しようとする課題】
【０００５】
本考案の主要な目的は、一種のゴルフクラブヘッドを提供することにあり、それは、主体の主体のフェイス内側壁に一体に環型壁を形成し、環型壁とフェイスの間に内板を結合し、ヘッドの重心を後方に移動させ、並びにヘッド重心の深さ、高さにより異なる重量分配設計を行ない、大幅にヘッドの重量分配の柔軟度を高め、並びに有効に打球の安定性を制御し、飛行の方向性と飛距離を伸ばせるようにしたものとする。
【０００６】
本考案の次の目的は、一種のゴルフクラブヘッドを提供することにあり、それは、フェイスの材料の違いにより、且つ内板に軽量で、高強度の材料を使用したことにより、フェイスの強度と弾性を高め、フェイスの損壊を防止し、使用寿命を増したものとする。
【０００７】
本考案の別の目的は、一種のゴルフクラブヘッドを提供することにあり、それは、フェイスの内側壁より内板に挿通させる緊締柱を延伸し、緊締柱により内板を緊締し、内板とフェイスの結合安定度を増し、内板の弛みと脱落を防止したものとする。
【課題を解決するための手段】
【０００８】
請求項１の考案は、主体前側にフェイスが設けられたゴルフクラブヘッドにおいて、
該フェイスの内側壁が環型壁を具え、環型壁とフェイスの間に少なくとも一つの内板が結合されたことを特徴とする、ゴルフクラブヘッドとしている。
請求項２の考案は、請求項１記載のゴルフクラブヘッドにおいて、内板とフェイスが異なる材質とされ、内板が軽量で、高強度の材質とされたことを特徴とする、ゴルフクラブヘッドとしている。
請求項３の考案は、主体前側にフェイスが設けられたゴルフクラブヘッドにおいて、
該フェイスの内側壁が環型壁と少なくとも一つの緊締柱を具え、環型壁とフェイスの間に少なくとも一つの内板が結合され、緊締柱が内板に挿通されて内板を緊締したことを特徴とする、ゴルフクラブヘッドとしている。
請求項４の考案は、請求項３記載のゴルフクラブヘッドにおいて、内板とフェイスが異なる材質とされ、内板が軽量で、高強度の材質とされたことを特徴とする、ゴルフクラブヘッドとしている。
【考案の効果】
【０００９】
本考案のゴルフクラブヘッドは、主体のフェイス内側壁に一体に環型壁が形成され、環型壁とフェイスの間に内板が結合され、内板が軽量で高強度材料で形成されてフェイスの弾性及び強度を増してフェイスの長期打撃による陥没変形を防止し、フェイス形状及び強度を長期に確保し、並びにヘッド全体の重心が後方に移動され、異なるヘッドに対応して柔軟にウエイト設計でき、最良の打球安定性と制球性、打球飛行方向性、飛距離を獲得できるものとされる。
【考案を実施するための最良の形態】
【００１０】
図３、４に示されるように、本考案のゴルフクラブヘッドＢは主体１０の前側に一体に厚さが薄いフェイス１１が形成され、該フェイス１１の内側壁に環型壁１２と少なくとも一つの緊締柱１３が設けられ、環型壁１２とフェイス１１の間に少なくとも一つの内板２０が結合され、並びに緊締柱１３が内板２０に挿通され並びに内板２０を緊締し、内板２０が緊密にフェイス１１の内側壁面に接合される（図５）。内板２０の材質はアルミニウム、マグネシウム等、軽量金属或いはプラスチック、カーボンファイバー、ナイロン等の高強度、高弾性の軽量材料とされる。
【００１１】
内板２０がフェイス１１と環型壁１２の間に結合されたことにより、薄いフェイス１１の内側面に内板２０が結合されてフェイス１１の強度、弾性及び打球の実体感が増され、これにより軽く、強く、高弾性を具備し、結実のフェイス１１構造が達成される。
【００１２】
本考案は以上の構造により形成され、周知のものと比較すると以下のような進歩性を有している。
１．本考案のフェイス１１の内側壁には内板２０が結合され、これによりゴルフクラブヘッドＢの重心が後方に移動し、異なる打球の必要により、ゴルフクラブヘッドＢの重心の深さ、高さを異なる重量分配設計とでき、ゴルフクラブヘッドＢのウエイト設計の柔軟度を高め打球の確かな打撃感を得られるようにし、飛球の方向性と飛距離を改善できる。
２．内板２０は軽量で、高強度及び高弾性の材料で形成され、それはフェイス１１の内側に結合され、フェイス１１の打撃弾性と打撃感を大幅に高め、並びにフェイス１１の強度が増され、フェイス１１の陥没、損壊、破裂を防止し、使用寿命を延長できる。
３．フェイス１１内側壁に一体に少なくとも一つの緊締柱１３が延設され、この緊締柱１３が内板２０に通されて内板２０を緊締して内板２０のフェイス１１と環型壁１２の間の結合を安定させ緊密とする。
【００１３】
以上の実施例は本考案の範囲を限定するものではなく、以上の説明及び図面の記載に基づきなしうる細部の修飾或いは改変は、いずれも本考案の請求範囲に属するものとする。
【図面の簡単な説明】
【００１４】
【図１】周知の技術の断面分解図である。
【図２】別の周知の技術の立体断面組合せ図である。
【図３】本考案の部分立体断面組合せ図である。
【図４】本考案の立体外観図である。
【図５】本考案の組合せ断面図である。
【符号の説明】
【００１５】
１００  前部主体        １０１、４０１  フェイス      ２００  後部主体
３００  主体            ３０１  凹溝                  Ａ  ゴルフクラブヘッド
１０  主体              １１  フェイス                １２  環型壁
１３  緊締柱            ２０  内板                    Ｂ  ゴルフクラブヘッド
【図１】
0003109694.tif 000003
【図２】
0003109694.tif 000004
【図３】
0003109694.tif 000005
【図４】
0003109694.tif 000006
【図５】
0003109694.tif 000007